(57)【要約】【課題】  光透過性を有し、デザイン変化、高級感及び立体感があり、現在使用されている固定構造も用いることが可能な時計用表示板を提供することにある。【解決手段】  表示板３０は、上板３２、下板３４、プラスチック板３６及び反射板３８を重合してなるものである。上板３２と下板３４は開口部３２ａ，３４ａを有している。プラスチック板３６と反射板３８は光透過性を有している。このため、上板３２及び下板３４の開口部３２ａ，３４ａとプラスチック板３６および反射板３８を光が透過することになる。下板３４はモジュールに固定する足３４ｃを有している。プラスチック板３６と反射板３８は支持枠４０の突起４０ｃに係合する切欠３６ｃ，３８ｃを有している。【選択図】  図１
2006275581.tif 000002
【特許請求の範囲】
【請求項１】
開口部を有する上板と、
該上板の開口部に対応する開口部を有する下板と、
光透過性を有するプラスチック板と、を備え、
前記上板、下板及びプラスチック板を重合してなることを特徴とする時計用表示板。
【請求項２】
前記上板は前記下板の表面に固着され、前記下板は裏面に足を有し、該足をモジュールに取り付けることにより固定され、前記プラスチック板は前記下板とモジュールとの間にて前記モジュールに固定されることを特徴とする請求項１記載の時計用表示板。
【請求項３】
前記上板は裏面に足を有し、該足をモジュールに取り付けることにより固定され、前記下板は前記足に係合することにより前記上板に固定され、前記プラスチック板は前記下板とモジュールとの間にて前記モジュールに固定されることを特徴とする請求項１記載の時計用表示板。
【請求項４】
前記プラスチック板はその外周部に切欠を有し、該切欠に前記モジュールに設けられた突起が係合することにより固定されることを特徴とする請求項２又は３記載の時計用表示板。
【請求項５】
前記上板、下板及びプラスチック板は、その外周部にそれぞれ切欠を有し、該切欠に前記モジュールに設けられた突起が係合することにより固定されることを特徴とする請求項１記載の時計用表示板。
【請求項６】
前記プラスチック板の裏面側に反射板を配設してなることを特徴とする請求項１乃至４のひとつに記載の時計用表示板。
【請求項７】
前記反射板は前記プラスチック板の裏面に固着されていることを特徴とする請求項６記載の時計用表示板。
【請求項８】
前記反射板はその外周部に切欠を有し、モジュールに設けられた突起が係合することにより固定されることを特徴とする請求項６記載の時計用表示板。
【請求項９】
前記上板及び下板はそれぞれ５０〜５００μｍの範囲の厚みに形成され、前記プラスチック板は１００〜５００μｍの範囲の厚みに形成されていることを特徴とする請求項１乃至６のひとつに記載の時計用表示板。
【請求項１０】
前記反射板は５０〜３００μｍの範囲の厚みに形成されていることを特徴とする請求項９記載の時計用表示板。
【請求項１１】
前記時計用表示板は２５０〜１８００μｍの厚みに形成されていることを特徴とする請求項９又は１０記載の時計用表示板。
【発明の詳細な説明】
【技術分野】
【０００１】
本発明は、時刻を表示する指標等が設けられたり、時刻表示部周囲の電極（液晶表示部）、機械部分等を被覆する時計用表示板に関するものであり、特に、光の透過を必要とする太陽電池を備えた時計や、時刻表示部のバックライトを備えた時計に使用可能なものに関する。
【背景技術】
【０００２】
一般に、時計用表示板には、金属、プラスチック等からなる板状の基材が使用され、その表面にメッキ、印刷、刻印等の手法により指標や模様が形成されている。
【０００３】
例えば、図１２に示すように、プラスチックシート２を基材として、その表面に印刷層６あるいは金属蒸着層４を形成し、裏面に帯電防止用等の金属の導電層８を形成して積層した文字板が提案されていた（特許文献１）。
【０００４】
しかし、プラスチックシート２を基材とした文字板では、その表面に金属を蒸着しても金属基板を用いた文字板に比べて金属的質感が乏しく、高級感に欠けていた。また、プラスチックシート２に金属蒸着層４を積層しても立体感をだすことは難しく、薄く、平面的な印象を与える文字板となっていた。
【０００５】
また、図１３に示すように、表示板１０の中央に時刻表示孔１２を設け、その周囲に透光孔１４を形成したものも提案されていた（特許文献２）。
【０００６】
この表示板１０の場合には、透光孔１４による光の透過が期待できるため、金属基板を用いても、光の透過が可能な表示板を提供することが可能である。しかし、時刻表示孔１２及び透光孔１４は共に単なる貫通孔であるため、大きく開口させると内部機構が見えてしまうことになる。このため、孔の大きさや形状に制限があり、デザイン変化が乏しいという問題があった。
【０００７】
また、図１４に示すように、切抜き窓１８を設けた上面板１６と、固定用の突起２２を有し且つ金属基板からなる下面板２０とを接着した文字板も提案されていた（特許文献３）。
【０００８】
この文字板においては、上面板１６の切抜き窓１８から下面板２０が見えることにより立体感を出したり、切抜き窓１８の形状を変えることでデザインに変化を出すことが期待できる。しかし、この文字板構造では、下面板２０が金属基板で光を透過することができないため、太陽電池やバックライトを備えた時計には使用することができなかった。
【特許文献１】実開昭５７−  ８６４７９号公報
【特許文献２】実開昭５４−１４１９７２号公報
【特許文献３】実開平  ３−    ６５８４号公報
【発明の開示】
【発明が解決しようとする課題】
【０００９】
本発明が解決しようとする課題は、光透過性を有し、デザイン変化、高級感及び立体感があり、現在使用されている固定構造も用いることが可能な時計用表示板を提供することにある。
【課題を解決するための手段】
【００１０】
本発明の時計用表示板は、開口部を有する上板と、該上板の開口部に対応する開口部を有する下板と、光透過性を有するプラスチック板と、を備え、前記上板、下板及びプラスチック板を重合してなるものである。
この時計用表示板は、前記上板が前記下板の表面に固着され、前記下板が裏面に足を有し、該足をモジュールに取り付けることにより固定され、前記プラスチック板が前記下板とモジュールとの間にて前記モジュールに固定されるものである。
また、この時計用表示板は、前記上板が裏面に足を有し、該足をモジュールに取り付けることにより固定され、前記下板が前記足に係合することにより前記上板に固定され、前記プラスチック板が前記下板とモジュールとの間にて前記モジュールに固定されるものでもある。
この時計用表示板における前記プラスチック板は、その外周部に切欠を有し、該切欠に前記モジュールに設けられた突起が係合することにより固定されている。
また、この時計用表示板における前記上板、下板及びプラスチック板は、その外周部にそれぞれ切欠を有し、該切欠に前記モジュールに設けられた突起が係合することにより固定されるものでもある。
また、この時計用表示板は、前記プラスチック板の裏面側に反射板を配設してなるものである。前記反射板は前記プラスチック板の裏面に固着されている。また、前記反射板はその外周部に切欠を有し、モジュールに設けられた突起が係合することにより固定されるものでもある。
このような時計用表示板における前記上板及び下板はそれぞれ５０〜５００μｍの範囲の厚みに形成され、前記プラスチック板は１００〜５００μｍの範囲の厚みに形成されている。また、前記反射板は５０〜３００μｍの範囲の厚みに形成されている。また、この時計用表示板は２５０〜１８００μｍの厚みに形成されている。
【発明の効果】
【００１１】
本発明によれば、材質、デザイン等が異なる上板、下板及びプラスチック板を重合したことにより、新しい感覚の光透過性を有する時計用表示板を提供することができる。
【００１２】
また、本発明の時計用表示板においては、上板と下板に開口部を設けると共に光透過性を有するプラスチック板と反射板を重ねているので、光の透過と反射を可能としている。特に、外観品質を高める上板と強度を高める下板に金属板を使用しても、光の透過が可能な構造となっており、またその開口部の内側がプラスチック板で覆われているので内部のモジュール等が見えることもなく、外観品質が非常に高い光透過性を有する表示板を提供することができる。
【００１３】
また、上板のデザインを自在に変更することができるだけでなく、上板、下板及びプラスチック板を重合することによりデザインの変化性を高めることができる。
【００１４】
また、上板、下板及びプラスチック板を重合することで、上板とプラスチック板との間の高低差が広がり、立体感のある表示板を形成することができる。
【００１５】
また、下板に足を設けたり、プラスチック板等の外周部に切欠を設けてモジュールに取り付けることができるので、従前より用いられている固定構造をそのまま使用することができ、製造時の作業性の向上や時計部品としての標準化が可能となる。
【発明を実施するための最良の形態】
【００１６】
本発明の時計用表示板は、上板、下板、プラスチック板及び反射板を重合してなるものである。上板と下板には開口部が設けられており、プラスチック板と反射板は光透過性を有している。このため、上板及び下板の開口部とプラスチック板および反射板を光が透過することになる。また、上板及び下板を金属板で形成することにより、外観品質が高まり
高級感を出すことができ、また、上板又は下板に足を設け、この足をモジュールに固定する固定構造を用いることが可能となる。また、上板、下板、プラスチック板等の外周部に切欠を設けて、モジュールの突起に係合させて固定することもできる。また、上板、下板及びプラスチック板を重ねることにより、上板とプラスチック板との間の距離がひらき、立体感が出る。
【実施例１】
【００１７】
図１は本発明の実施例１に係る時計用表示板を示す分解断面図、図２は図１に示す時計用表示板の平面図、図３は図１に示す上板の平面図、図４は図１に示す下板の平面図、図５は図１に示すプラスチック板の平面図、図６は図１に示す時計用表示板の断面半載図、図７は図１に示す時計用表示板を時計に組み込んだ状態を示す時計の断面図である。
【００１８】
本実施例における表示板３０は、表示板３０の表面側に配置される上板３２と、この上板３２の裏面側に配置される下板３４と、この下板３４の裏面側に配置されるプラスチック板３６と、このプラスチック板３６の裏面側に配置される反射板３８と、からなるものである。
【００１９】
上板３２は、黄銅板、リン青銅板、ステンレス板、洋白板などの金属板からなるものである。図１乃至図３に示すように、この上板３２は、その中央に指針等による時刻表示を行うための開口部３２ａを有し、この開口部３２ａの図中左右に当たる３時・９時位置にはローマ数字III、IXの形状をなす装飾と指標を兼ねた開口部３２ｂ，３２ｃを有している。この開口部３２ａ，３２ｂ，３２ｃは、プレス抜き方法やエッチング方法などで形成する。本実施例における上板３２は、厚みが薄い場合や開口部の形状が複雑な場合にはエッチング方法でそれらを形成している。例えば、黄銅板からなる上板３２の場合には、開口部３２ａ，３２ｂ，３２ｃを形成する部分以外の部分にマスキングを施し、塩化第二鉄水溶液（４０〜６０℃に加温）を用いてエッチングを行って開口部３２ａ，３２ｂ，３２ｃを形成する。上板３２の厚みが厚い場合には、作業時間等の点でプレス抜きが有効である。
【００２０】
また、上板３２は、表示板３０の表面に位置することから装飾的役割を持っている。このため、装飾性の向上を図って、上板３２の表面に、微小な凹凸からなる旭光模様、ストライプ状の筋目模様、梨地模様などを設けている。そして、更にその上にニッケル、アルミニウム、クロム、銀、パラジウム、ロジウム、金などの金属メッキを施している。このように、上板３２に模様やメッキなどを施すことにより、装飾性に優れると共に貴金属感が現われた高級感のある表示板３０を提供することができる。また、この上板３２には、開口部３２ｂ，３２ｃ以外に、数字、文字、マークなどによる指標を設けて、時刻等の機能表示を行うようにすることもできる。
【００２１】
下板３４は、上板３２と同一の平面外形形状を有し、上板３２と同様の金属板からなるものである。図１及び図４に示すように、この下板３４は、上板３２の開口部３２ａに対応する位置に時刻表示を行うための開口部３４ａを有し、その開口部３４ａの内面が裏面方向に向かって径小となるように傾斜した見返し面３４ｂとなっている。この下板３４における開口部３４ａも、上板３２の開口部３２ａと同様に、プレス抜き方法やエッチング方法などで開口部を設け、見返し面３４ｂは挽き加工により形成されている。また、この下板３４の裏面には、裏面方向に突出する足３４ｃがスポット溶接等により２本取り付けれている。更に、この下板３４の表面には、上板３２と異なる色調のメッキ被膜、塗装被膜等が設けられている。
【００２２】
プラスチック板３６は光透過性を有し、ポリカーボネイト樹脂、ポリエチレン樹脂、ポリプロピレン樹脂、ポリスチレン樹脂、ポリエチレンテレフタレート樹脂、アクリル樹脂
などのプラスチック樹脂からなるものである。図１及び図５に示すように、このプラスチック板３６も、上板３２および下板３４と同一の平面外形形状を有している。このプラスチック板３６は、上板３２および下板３４の開口部３２ａ，３４ａの中央に位置することになる指針軸を通す貫通孔３６ａを有している。また、プラスチック板３６には、下板３４の足３４ｃを通す貫通孔３６ｂが設けられている。更に、このプラスチック板３６の外周部には、時計用モジュールを支持する支持枠４０に設けられた突起４０ｃに適合する切欠３６ｃが各外周辺の中央付近に形成されている。このプラスチック板３６は、金型を使用したプラスチック成形で形成することが最も好ましいが、樹脂板にプレス成形を施すことにより形成することも可能である。また、このプラスチック板３６は、上板３２及び下板３４の開口部３２ａ，３４ａを通して見えるものであるため、表面に切分目盛なる指標や模様を形成したり、樹脂の中に顔料や染料を入れて有色としても良い。
【００２３】
反射板３８は、プラスチック板３６と同一の平面形状を有し、プラスチック板３６の貫通孔３６ａ，３６ｂ及び切欠３６ｃにそれぞれ対応する貫通孔３８ａ，３８ｂ及び切欠３８ｃを有している。光透過性と反射性の両方の機能を持つものである。この反射板３８は、ポリエチレンテレフタレート樹脂フィルムやポリイミド樹脂フィルムなどの樹脂フィルムに、真空蒸着方法、スパッタリング方法、イオンプレーティング方法等による乾式メッキ方法で金属薄膜を形成してなる透過性と反射性の両方の機能を有するフィルム板や反射型偏光板などを用いている。このように乾式メッキ方法で金属薄膜を形成した反射板３８の場合、金属膜の膜厚を変えることにより自由に光透過率を設定することができる。この反射板３８は、その背後に設置されている太陽電池４２（図２）の濃紫色を和らげるために設けられており、太陽電池４２が表面方向へ反射する光の透過量を減らすと共に、反射板３８自体の色調によって濃紫色を和らげている。また、反射板３８の色調は、上板３２又は下板３４の色調と同系色の色調を選択することが好ましい。このように反射板３８を上板３２等を同系色にすると、開口部３２ａの存在が目立たなくなり、表示板３０全体が統一された色調となって部分的な違和感が生じることがなくなる。例えば、ポリエチレンテレフタレート樹脂に真空蒸着法で銀金属の金属薄膜を形成した場合、その金属薄膜を８０〜１００Åの範囲の厚みに形成すれば光沢は得られないが、銀色調をなすと共に光透過率が５０〜６０％の反射板を形成することができる。
【００２４】
上記構成からなる上板３２、下板３４、プラスチック板３６及び反射板３８は、図６に示すように重ねられる。このときに上板３２と下板３４は接着剤で固着され、プラスチック板３６と反射板３８も接着剤で固着されている。また、下板３４の足３４ｃは、プラスチック板３６と反射板３８の貫通孔３６ｂ，３８ｂを通って裏面方向に突出する。この足３４ｃは、図７に示すように、時計のモジュール４４が中央の開口部４０ａに嵌め込まれ且つ時計ケース４６内に収められる支持枠４０の貫通孔４０ｂに嵌入されて固定される。プラスチック板３６と反射板３８は、支持枠４０の突起４０ｃが切欠３６ｃ，３８ｃに係合することにより位置決め固定されており、更に、下板３４と支持枠４０との間に挟まれることにより確実に固定されている。このように支持枠４０に取り付けられたプラスチック板３６及び反射板３８の貫通孔３６ａ，３８ａからは指針軸４４ａが表面方向に突出し、この指針軸４４ａに取り付けられた指針４４ｂ，４４ｃが上板３２及び下板３４の開口部３２ａ，３４ａ内に回転可能な状態で収められる。
【００２５】
本実施例においては、上板３２に銀メッキが施され、下板３４に黒ニッケルメッキが施され、プラスチック板３６として白色で旭光目付けが施されたものを使用している。このため、表面方向から表示板３０を見ると、銀色調の金属光沢を有する上板３２の開口部３２ｂ、３２ｃから黒色の金属光沢を有する下板３４が見え、更に、上板３２及び下板３４の開口部３２ａ，３４ａから白色旭光模様を有するプラスチック板３６が見えることになる。これにより、デザインの変化性や立体感を強調することができる。また、上板３２及び下板３４の開口部３２ａ，３４ａから入射した外光は、プラスチック板３６及び反射板
３８を透過して背後にある太陽電池に照射される。一方、太陽電池により反射されて外方へ向かう光は、反射板３８によって反射され、太陽電池が表面側に透けて見えることを防いでいる。
【００２６】
また、本実施例における上板３２、下板３４及びプラスチック板３６は共に３７０μｍの厚みのものを使用し、反射板３８は１３０μｍの厚みのものを使用しており、表示板３０の総厚が接着部分の厚み（５０μｍ×２箇所）を含めて１３４０μｍとなっている。表示板３０の厚みは、２５０μｍより薄くなると可撓性が現われると共に腰が弱くなって折れ曲がりや破損等が生じ易くなり、また１８００μｍが携帯時計に組み込むことができる最大の厚みであることから、２５０〜１８００μｍの範囲の厚みに設定している。上板３２、下板３４、プラスチック板３６及び反射板３８の厚みは、表示板３０の総厚を考慮して設定されるが、その他、取扱容易性、加工性、加工による変形なども考慮して、上板３２及び下板３４を５０〜５００μｍ、プラスチック板３６を１００〜５００μｍ、反射板３８を５０〜３００μｍの範囲の厚みにそれぞれ設定している。厚みの設定による不具合の一例としては、例えばプラスチック板３６の場合、１００μｍより薄くすると、樹脂フィルムに弾力性がなくなり、取り扱いが難しくなり、印刷作業や切断作業が難しくなることがある。また、このプラスチック板３６では、上板３２及び下板３４に形成した模様等とのバランスや上板３２又は下板３４に設けた指標などの立体感を伴った視認性などが悪くなるという問題も生じることがある。このため、上記のように厚みの範囲を設定している。
【００２７】
図８は図１に示す表示板３０から反射板３８を取り除いた変更例を示す分解断面図である。時計によっては、より高い透過率を有する表示板を使用することが必要な場合があり、この場合には反射板３８を使用せずに上板３２、下板３４及びプラスチック板３６によって表示板３０を形成する。この表示板３０を太陽電池を用いたモジュールに取り付ける場合、太陽電池がプラスチック板３６から透けて見えることもあるので、上板３２に黒ニッケルメッキを施し、下板３４に金メッキを施し、プラスチック板３６をグレーに着色すると共に旭光目付けを施すことにより、太陽電池の濃紫色を目立たなくすることができる。
【実施例２】
【００２８】
図９は本発明の実施例２に係る時計用表示板を示す分解断面図である。この実施例２においては上板３２に足３２ｄを形成し、下板３４に足３２ｄを通す貫通孔３４ｄを形成している。尚、その他の構成は全て図１に示す実施例１と同一であり、同一部分には同一の符号が付してある。上板３２の足３２ｄは、上板３２の裏面にスポット溶接などにより２本固定されている。また、本実施例においては接着を使用せずに、上板３２と下板３４は、足３２ｄを貫通孔３４ｄに通すことにより一体化される。また、プラスチック板３６と反射板３８は、共にその切欠３６ｃ，３８ｃを支持枠４０の突起４０ｃに係合させることで固定される。このように、本実施例においては、上板３２の足３２ｄにより、下板３４、プラスチック板３６および反射板３８の位置決めが可能であるため、接着することなく支持枠４０に組み込むだけで固定することが可能となる。
【００２９】
また、本実施例においても、上板３２と下板３４の色調に合わせることが効果的である。例えば、上板３２に銀メッキを施し、下板３４にブルー塗装を施し、プラスチック板３６にシルバー蒸着を施すと共に旭光目付けを施すこと等を行う。
【００３０】
また、上板３２、下板３４、プラスチック板３６及び反射板３８の材質や厚みに関しても実施例１と同一に設定している。
【００３１】
また、この実施例２においても透過率の調整のために反射板３８を取り除くことが可能
である。
【実施例３】
【００３２】
図１０は本発明の実施例３に係る時計用表示板を示す分解断面図、図１１は図１０に示す時計用表示板を時計に組み込んだ状態を示す時計の断面図である。この実施例３においては上板３２又は下板３４に足を設けることなく、支持枠４０の突起４０ｃにより上板３２、下板３４及びプラスチック板３６を固定している。尚、その他の構成は実施例１と同一であり、同一部分には同一の符号が付してある。本実施例における上板３２と下板３４の外周部には、プラスチック板３６と同様に切欠３２ｅ，３４ｅが設けられている。この切欠３２ｅ，３４ｅは支持枠４０の突起４０ｃに対応する位置に設けられている。支持枠４０の突起４０ｃは、実施例１に比べて上板３２及び下板３４の厚みの分だけ表面方向に長くなるようにその高さが設定されている。これにより、上板３２、下板３４及びプラスチック板３６は、その切欠３２ｅ，３４ｅ，３６ｃを突起４０ｃに係合させるだけで支持枠４０に固定され、そのまま時計ケース４６内に収められる。
【００３３】
尚、本実施例においては実施例１における反射板３８を使用していないが、必要とされる透過率によっては反射板３８も使用することができる。その場合、反射板３８もその外周部に切欠３８ｃ（図１）を設け、この切欠３８ｃを突起４０ｃに係合させることで支持枠４０に固定する。
【００３４】
また、反射板３８を使用しない場合には、前述したように、上板３２に黒ニッケルメッキを施し、下板３４に金メッキを施し、プラスチック板３６をグレーに着色すると共に旭光目付けを施すことで、太陽電池の濃紫色を目立たなくすることができる。
【００３５】
また、上板３２、下板３４及びプラスチック板３６の材質や厚みに関しても実施例１と同一に設定することができるが、上板３２及び下板３４に足を取り付ける必要がないため、上板３２と下板３４の厚みをその下限となる５０μｍにそれぞれ設定することが可能である。
【産業上の利用可能性】
【００３６】
本発明の時計用表示板は、金属板を使用しながら十分な光透過性を有しているので、外方からの光の入射を必要とする太陽電池時計に使用することができる。また、時刻表示部を時計内部の光源で照明するバックライト付時計にも使用することができる。
【図面の簡単な説明】
【００３７】
【図１】本発明の実施例１に係る時計用表示板を示す分解断面図である。
【図２】図１に示す時計用表示板の平面図である。
【図３】図１に示す上板の平面図である。
【図４】図１に示す下板の平面図である。
【図５】図１に示すプラスチック板の平面図である。
【図６】図１に示す時計用表示板の断面半載図である。
【図７】図１に示す時計用表示板を時計に組み込んだ状態を示す時計の断面図である。
【図８】図１に示す表示板から反射板を取り除いた変更例を示す分解断面図である。
【図９】本発明の実施例２に係る時計用表示板を示す分解断面図である。
【図１０】本発明の実施例３に係る時計用表示板を示す分解断面図である。
【図１１】図１０に示す時計用表示板を時計に組み込んだ状態を示す時計の断面図である。
【図１２】従来の表示板の構造を示す断面図である。
【図１３】従来の他の表示板の構造を示す断面図である。
【図１４】従来のその他の表示板の構造を示す断面図である。
【符号の説明】
【００３８】
２      プラスチックシート
４      金属蒸着層
６      印刷層
８      導電層
１０    表示板
１２    時刻表示孔
１４    透光孔
１６    上面板
１８    切抜き窓
２０    下面板
２２    突起
３０    表示板
３２    上板
３２ａ，３２ｂ，３２ｃ    開口部
３２ｄ  足
３２ｅ  切欠
３４    下板
３４ａ  開口部
３４ｂ  見返し面
３４ｃ  足
３４ｄ  貫通穴
３４ｅ  切欠
３６    プラスチック板
３６ａ  貫通孔
３６ｂ  貫通孔
３６ｃ  切欠
３８    反射板
３８ａ  貫通孔
３８ｂ  貫通孔
３８ｃ  切欠
４０    支持枠
４０ａ  開口部
４０ｂ  貫通孔
４０ｃ  突起
４２    太陽電池
４４    モジュール
４４ａ  指針軸
４４ｂ，４４ｃ  指針
４６    時計ケース
【図１】
2006275581.tif 000003
【図２】
2006275581.tif 000004
【図３】
2006275581.tif 000005
【図４】
2006275581.tif 000006
【図５】
2006275581.tif 000007
【図６】
2006275581.tif 000008
【図７】
2006275581.tif 000009
【図８】
2006275581.tif 000010
【図９】
2006275581.tif 000011
【図１０】
2006275581.tif 000012
【図１１】
2006275581.tif 000013
【図１２】
2006275581.tif 000014
【図１３】
2006275581.tif 000015
【図１４】
2006275581.tif 000016